(57)【要約】【課題】  受口用と差口用を兼ねることができ、複数の口径に適用できる管端キャップを提供する。【解決手段】  この管端キャップは、その略中央に設けられた隔壁によって、前記受口と嵌合する受口用筒部と、前記差口と嵌合する差口用筒部とに区画され、前記受口用筒部及び前記差口用筒部は、少なくとも、パイプと嵌合する内管と、この内管の外周面を覆うように設けられ、前記パイプよりも大きい口径を有するパイプと嵌合する外管とを略同心に配置した多重管構造を有するので、一つでパイプの受口と差口の両方を閉塞できると共に、一つで複数の口径のパイプに適用することができる。【選択図】      図１
2015161380.tif 000002
【特許請求の範囲】
【請求項１】
多種類のパイプの受口と差口のいずれにも装着可能な管端キャップであって、
その略中央に設けられた隔壁によって、前記受口と嵌合する受口用筒部と、前記差口と嵌合する差口用筒部とに区画され、
前記受口用筒部及び前記差口用筒部は、少なくとも、パイプと嵌合する内管と、この内管の外周面を覆うように設けられ、前記パイプよりも大きい口径を有するパイプと嵌合する外管とを略同心に配置した多重管構造を有すること
を特徴とする管端キャップ。
【請求項２】
前記受口用筒部及び前記差口用筒部は、
パイプと嵌合する内管と、この内管の外周面を覆うように設けられ、前記パイプよりも大きい口径を有するパイプと嵌合する外管とを、略同心に配置した二重管構造を有し、
前記受口用筒部の内管及び外管は、その外周面において、前記パイプの受口の内周面と当接し、
前記差口用筒部の内管及び外管は、その内周面において、前記パイプの差口の外周面と当接すること
を特徴とする請求項１に記載の管端キャップ。
【請求項３】
前記内管および外管は、
その中央部にそれぞれ隔壁が形成され、外管の隔壁は、その一部が開口側に偏倚していること
を特徴とする請求項１又は２に記載の管端キャップ。
【請求項４】
前記外管の外周には、
持ち手として環状帯が形成されていること
を特徴とする請求項１〜３のいずれかに記載の管端キャップ。
【請求項５】
前記持ち手は、
その断面が略Ｔ字状に形成されていること
を特徴とする請求項４に記載の管端キャップ。
【発明の詳細な説明】
【技術分野】
【０００１】
この発明は、下水道の敷設に際し使用される、パイプの管端に設けられる管端キャップに関するものである。
より詳しくは、パイプの端部に嵌合させて、その端部を一時的に閉塞するための管端キャップに関するものである。
【背景技術】
【０００２】
下水道配管などのパイプの工事は、一日で終わることは少なく、工事を中断する場合がある。
その際、パイプ内に、雨水や土砂、昆虫・小動物の侵入を防止するため、管端を一時的に閉塞する管端キャップが管端に装着される。
このような管端キャップの一例が、例えば、特許文献１〜４に開示されている。
【０００３】
１）特開平０８−１３３３２９号公報（特許文献１）においては、
一端部を差口とし、他端部を拡径して前記差口が挿入される受口とした合成樹脂管の両端を閉塞できる管端キャップであって、
有底筒状をなす本体の奥側に、前記受口の内周面に装着したゴムリングと弾性的に圧接する外径を有する小径筒部を設けると共に、
前記小径筒部の開口側に、傾斜段部を介して大径筒部を設け、
前記大径筒部の内周面を、前記差口の外周面とほぼ同径に形成すると共に、
当該大径筒部の外周面を、前記受口の先端部内周面より若干小径となるように形成したこと
を特徴とする管端キャップが提案されている。
【０００４】
この管端キャップは、合成樹脂管の差口と、受口のいずれを閉塞する場合にも使用できるので、品揃えが容易であるだけでなく、パイプの径サイズに応じた一種類のキャップを準備するだけでよいので、管端部の閉塞作業が簡単に行なえる、とされている。
【０００５】
２）特開２００１−１２４２８６号公報（特許文献２）においては、
（１）外径が異なり互いに反対方向に突出する突出部、又は、内径が異なり互いに反対方向に突出する周壁を有する配管キャップ；
（２）配管を挿入するための周壁と、その周壁からつづく配管に挿入するための突出部とを有し、上記周壁の内径と上記突出部の外径とが異なる配管キャップ；
（３）配管を挿入するための凹部を有し、その凹部が外径の異なる複数の配管を嵌合可能な多段凹部である配管キャップ；並びに
（４）配管に挿入するための凸部を有し、その凸部が内径の異なる複数の配管へ嵌合可能な多段凸部である配管キャップ
が提案されている。
【０００６】
この配管キャップは、突出部、周壁、凹部又は凸部を設けたことによって、１つの配管キャップで、複数の配管に嵌合させることを可能とするとされている。（図１）。
【０００７】
３）特開２００１−２９５９８２号公報（特許文献３）においては、
外面が、リブパイプ受口の内径に適合する径を有してテーパー状に形成され、かつ、
内面が、リブパイプ差口のリブ部外径に適合する径を有してテーパー状に形成された本体部分と、
前記本体部分の径小側を閉塞する閉塞部分を備える、
リブパイプ用キャップが提案されている。
【０００８】
このキャップは、仮封鎖すべきリブパイプの端部が、受口および差口のいずれであっても対応できるので、二種類のキャップを製造する必要はなく、二種類のキャップのいずれかを選択する必要もなくなるというものである。
【０００９】
４）実公平０７−３９８２２号公報（特許文献４）においては、
管の内・外周壁に螺旋状の凹凸を有する大径コルゲート管と、小径コルゲート管のいずれの管端部をも閉塞できるキャップであって、
有底筒状キャップの筒部の外周面に、大径コルゲート管の内周壁の凹溝と螺合する突起を設けると共に、
前記筒部の内周面には、小径コルゲート管の外周壁の凹溝と螺合する突起を設けたことを特徴と管端閉塞キャップが提案されている。
【００１０】
このキャップは、径寸法が異なる数種類のコルゲート管の端部を、一個のキャップで閉塞できる兼用型であるので、キャップを製造する金型を削減できると共に、製品管理の簡素化、製作コストの軽減を計ることができるとされている。
【００１１】
５）実開昭６１−７３８９２号公報（特許文献５）においては、
一端面を開口した円筒形状のキャップ体の、他端側閉塞端面の内面より、外側壁と同心円をなす筒状の突壁を一体に突設したこと
を特徴とする管端閉塞用キャップが提案されている。
【００１２】
この管端閉塞用キャップは、一つで異なる径のパイプの開口端を閉塞することができ、コストが低く、開口端を閉塞したときに抜けなくなることがなく、確実に管端を閉塞でき、外観上の体裁が悪くなることがないとされている。
【先行技術文献】
【特許文献】
【００１３】
【特許文献１】特開平０８−１３３３２９号公報（特許請求の範囲，図１）
【特許文献２】特開２００１−１２４２８６号公報（特許請求の範囲，図１〜４）
【特許文献３】特開２００１−２９５９８２号公報（特許請求の範囲，図１）
【特許文献４】実公平０７−３９８２２号公報（実用新案登録請求の範囲，図１，２）
【特許文献５】実開昭６１−７３８９２号公報（実用新案登録請求の範囲，図１）
【発明の開示】
【発明が解決しようとする課題】
【００１４】
パイプは、一般に一方が受口、他方が差口となっているため、一つのパイプに対して、受口用と差口用の二種類の管端キャップが必要となる。
したがって、管端キャップをパイプの口径（サイズ）毎に準備する必要があるため、管端キャップの種類が非常に多く、製品管理が複雑になる上に、在庫スペースが増え、コスト削減の阻害原因となっていた。
【００１５】
前記特許文献１〜３に開示されている管端キャップは、受口用と差口用を兼ねるものである。
一方、前記特許文献４及び５に開示されている管端キャップは、２種類の口径に対応するものである。
しかしながら、これらの管端キャップにも、パイプの口径毎に準備する必要があるという問題があった。
【００１６】
この発明はかかる現状に鑑み、受口用と差口用を兼ねることができ、複数の口径に適用できる管端キャップを提供せんとするものである。
【課題を解決するための手段】
【００１７】
すなわち、この発明にかかる請求項１に記載の発明は、
多種類のパイプの受口と差口のいずれにも装着可能な管端キャップであって、
その略中央に設けられた隔壁によって、前記受口と嵌合する受口用筒部と、前記差口と嵌合する差口用筒部とに区画され、
前記受口用筒部及び前記差口用筒部は、少なくとも、パイプと嵌合する内管と、この内管の外周面を覆うように設けられ、前記パイプよりも大きい口径を有するパイプと嵌合する外管とを略同心に配置した多重管構造を有すること
を特徴とする管端キャップである。
【００１８】
この発明の請求項２に記載の発明は、
請求項１に記載の管端キャップにおいて、
前記受口用筒部及び前記差口用筒部は、
パイプと嵌合する内管と、この内管の外周面を覆うように設けられ、前記パイプよりも大きい口径を有するパイプと嵌合する外管とを、略同心に配置した二重管構造を有し、
前記受口用筒部の内管及び外管は、その外周面において、前記パイプの受口の内周面と当接し、
前記差口用筒部の内管及び外管は、その内周面において、前記パイプの差口の外周面と当接すること
を特徴とするものである。
【００１９】
この発明の請求項３に記載の発明は、
請求項１又は２に記載の管端キャップにおいて、
前記内管および外管は、
その中央部にそれぞれ隔壁が形成され、外管の隔壁は、その一部が開口側に偏倚していること
を特徴とするものである。
【００２０】
この発明の請求項４に記載の発明は、
請求項１〜３のいずれかに記載の管端キャップにおいて、
前記外管の外周には、
持ち手として環状帯が形成されていること
を特徴とするものである。
【００２１】
この発明の請求項５に記載の発明は、
請求項４に記載の管端キャップにおいて、
前記持ち手は、
その断面が略Ｔ字状に形成されていること
を特徴とするものである。
【発明の効果】
【００２２】
この発明の管端キャップは、一つでパイプの受口用と差口用を兼ねるものであるため、受口と差口の両方を閉塞できると共に、一つで複数の口径のパイプに適用することができるものである。
したがって、管端キャップを受口用と差口用で別個に製造する必要はなく、パイプの口径に応じて準備する管端キャップの種類を減らすことができ、これにより製品管理が容易となり在庫スペースを少なくすることができる。
また、前記外管の外周に持ち手として環状帯を設けた場合には、管端キャップの取り外しが容易となる。
【図面の簡単な説明】
【００２３】
【図１】この発明の管端キャップの一実施形態を示した断面図である。
【図２】この発明の管端キャップの一実施例を示した断面図であって、パイプ８又は９の受口を閉塞した状態を示すものである。
【図３】この発明の管端キャップの一実施例を示した断面図であって、パイプ８又は９の差口を閉塞した状態を示すものである。
【図４】この発明の管端キャップを適用しうるパイプの一例を示す片側断面図である。
【図５】この発明の管端キャップを適用しうるパイプの一例を示す片側断面図である。
【図６】この発明の管端キャップを適用しうるパイプの一例を示す片側断面図である。
【図７】この発明の管端キャップの一実施例を模式的に示した断面図である。
【発明を実施するための形態】
【００２４】
以下、この発明の管端キャップの実施の形態を説明する。
なお、この発明は図示したものに限定されず、発明の要旨を変更しない範囲内において種々改良を加えることができるものである。
【００２５】
この発明の管端キャップは、隔壁によって、パイプの受口と嵌合する部分と、パイプの差口と嵌合する部分とに区画されると共に、少なくとも、パイプ（小口径のパイプ）と嵌合する内管と、この内管の外周面を覆うように設けられ、前記パイプよりも大きい口径を有するパイプ（大口径のパイプ）と嵌合する外管とを、略同心に配置した多重管構造を有する。
すなわち、この発明の管端キャップは、一つで多種類（少なくとも二種類）のパイプ（小口径のパイプ及びこれよりも口径が大きい複数の大口径のパイプ）に対して、その受口と差口のいずれにも装着可能なものである。
【００２６】
図１において、管端キャップ１は、その内部が略中央に設けられた隔壁２によって、パイプの差口と嵌合する差口用筒部３と、パイプの受口と嵌合する受口用筒部４とに区画されるよう構成されている。
したがって、前記差口用筒部３の開口側の端部が、パイプの差口に被せられてパイプの他端を閉塞し、前記受口用筒部４の開口側の端部が、パイプの受口に挿入されてパイプの一端を閉塞するものである。
【００２７】
前記管端キャップ１の差口用筒部３は、内周面において、パイプ（小口径のパイプ）の差口の外周面と当接する内管５ａと、この内管５ａの外周面を覆うように設けられ、内周面において、前記パイプよりも大きい口径を有するパイプ（大口径のパイプ）の差口の外周面と当接する外管６ａとを略同心に配置した二重管構造を有する。
そのため、前記差口用筒部３において、前記内管５ａの内周面は、前記小口径のパイプの差口の外周面と略同径に形成され、前記外管６ａの内周面は、前記大口径のパイプの差口の外周面と略同径に形成されている。
【００２８】
前記管端キャップ１の受口用筒部４は、外周面において、パイプ（小口径のパイプ）の受口の内周面と当接する内管５ｂと、この内管５ｂの外周面を覆うように設けられ、外周面において、前記パイプよりも大きい口径を有するパイプ（大口径のパイプ）の受口の内周面と当接する外管６ｂとを略同心に配置した二重管構造を有する。
そのため、前記受口用筒部４において、前記内管５ｂの外周面は、前記小口径のパイプの受口の内周面と略同径に形成され、前記外管６ｂの外周面は前記大口径のパイプの受口の内周面と略同径に形成されている。
【００２９】
すなわち、図１で明らかなように、前記受口用筒部４における内管５ｂの内径ｄ１  は、前記差口用筒部３における内管５ａの内径ｄ３  よりも小さく形成され、前記受口用筒部４における内管５ｂの外径Ｄ１  は、前記差口用筒部３における内管５ａの外径Ｄ３  よりも小さく形成されている。
一方、前記受口用筒部４における外管６ｂの内径ｄ２  は、前記差口用筒部３における外管６ｂの内径ｄ４  よりも小さく形成され、前記受口用筒部４における外管６ｂの外径Ｄ２は、前記差口用筒部３における外管６ａの外径Ｄ４  よりも小さく形成されている。
【００３０】
この発明においては、図１に示されるように、管端キャップ１の受口用筒部４の内管５ｂ及び／又は外管６ｂの開口側端部の外周面、ならびに／あるいは差口用筒部３の内管５ａ及び／又は外管６ａの開口側端部の内周面を、開口側に向かって拡径するテーパー状に形成することができる。
【００３１】
すなわち、図１において、
ｄ１＜Ｄ５＜Ｄ１、
ｄ２＜Ｄ６＜Ｄ２、
ｄ３＜ｄ７＜Ｄ３、
ｄ４＜ｄ８＜Ｄ４の関係にある。
このようにテーパー状に形成することによって、管端キャップ１にパイプを容易に挿入することができる。
【００３２】
パイプの差口を管端キャップ１に挿入し、あるいはパイプの受口に管端キャップ１を挿入してパイプを閉塞する場合、パイプの口径に応じて最適な挿入長さが存在し、例えば、パイプの口径が大きくなるほど、最適な挿入長さが長くなる。
したがって、この発明では、管端キャップ１の長さは、閉塞すべきパイプの口径に応じて適宜選択される。
例えば、管端キャップ１の差口側内管に小口径のパイプの差口を、その先端が隔壁に当接するまで挿入したときの挿入長さが、最適なものとなるよう設定する。
【００３３】
この発明においては、図１に示されるように、前記内管５（５ａ，５ｂ）および外管６（６ａ，６ｂ）の中央部にそれぞれ隔壁を形成し、外管の隔壁を、その一部が開口側に偏倚するようにして、突出部７を形成することができる。
かかる構成によって、小口径のパイプの受口に内管５ｂが挿入された場合には、受口の開口側の端部が、内管５ｂと突出部７の側壁との間のくぼみ１６と嵌合する。
【００３４】
一方、大口径のパイプの受口に管端キャップ１の外管６ｂが挿入された場合には、パイプの受口の開口側の端部が、外管６ｂの外周上において、突出部７の先端の位置よりも先の位置に到達するようになる。
さらに、大口径のパイプの差口が、管端キャップ１の外管６ａの内周面に当接するよう挿入された場合に、パイプの差口先端が、外管６ａの内周面上において内管５ａの内部の隔壁２の位置よりも先の位置に到達することとなる。
したがって、パイプの最適な挿入長さを確保しつつ、管端キャップ全体の長さを短くすることができ、よりコンパクトなものにすることができる。
【００３５】
前記管端キャップ１の材質については、特に制限はない。
例えば、ポリエチレンや、ポリプロピレン、塩化ビニルなどの樹脂材料を選択することができる。
ポリエチレンなどの可撓性を有する樹脂材料を選択することが好ましく、このような材料を選択した場合には、硬質塩化ビニルより変形し易いため、パイプ側の寸法にバラツキがあっても、その装着・取り外しが容易なものとなる。
【００３６】
なお、管端キャップ１の製造については、特に困難はない。
例えば、ポリエチレンの射出成形などの従来法によって製造することができる。
【００３７】
前記管端キャップ１には、嵌合するパイプの口径や、受口・差口側の識別をすることができるよう着色をしたり、文字、記号、図形などを付したりしてもよい。
【実施例】
【００３８】
以下、この発明の管端キャップの実施の一例を、具体的に説明する。
なお、この発明は図示したものに限定されず、発明の要旨を変更しない範囲内において種々改良を加えることができるものである。
【００３９】
図２及び３に記載されている管端キャップ１は、図１に記載されているものと同様のものである。
図２及び３において、パイプ８，９は、図６に示される、外周に多数のリブを有する、いわゆるリブ付き管である。
したがって、パイプ８，９の外面には、複数のリブ１０が管軸Ｘの方向へ一定の間隔を隔てて形成されている。
このパイプ８，９は、その一端に受口１２を有し、他端に差口１３を有する。
【００４０】
図２に示したように、小口径のパイプ８の受口１２に管端キャップ１を装着させる場合には、管端キャップ１の内管５ｂを受口１２に挿入する。
管端キャップ１の内管５ｂの外径Ｄ１  は、パイプ８の受口１２の内径ｄ９  に適合するよう略同径となっている。
前記管端キャップ１の内管５ｂの外周面は、開口側に向かって拡径するテーパー状に形成されている。
【００４１】
したがって、内管５ｂを受口１２内に挿入すると、内管５ｂの外周面のうち、受口１２の内径ｄ９  と略同径の部分が受口１２の内周面に密着し、その位置において内管５ｂと受口１２とが嵌合される。
なお、大口径のパイプ９の受口１２に管端キャップ１を装着させる場合も、前記小口径のパイプ８の場合と同様である。
【００４２】
前記パイプの受口１２に、管端キャップ１の内管５ｂ又は外管６ｂを挿入する場合、受口１２の縮径部１１が、内管５ｂ又は外管６ｂの端面に当接するまで挿入する。
この縮径部１１により、それ以上の差し込みが禁止される。すなわち、縮径部１１がストッパとして機能する。
【００４３】
前記管端キャップ１の内管５および外管６においては、その中央部にそれぞれ隔壁２が形成され、外管６の隔壁２においては、その一部が開口側に偏倚し、突出部７が形成されている。
したがって、小口径のパイプ８の受口１２に内管５ｂを挿入すると、前記受口１２の開口側の端部が、内管５ｂと突出部７の側壁との間のくぼみ１６と嵌合する。
さらに、大口径のパイプ９の前記受口１２に外管６ｂを挿入すると、受口１２の開口側の端部が、外管６ｂの外周上において、突出部７の先端の位置よりも先の位置に到達する。
このような構成によって、管端キャップ１の全長を短くすることができ、よりコンパクトなものにすることができる。
【００４４】
図３に示したように、前記小口径のパイプ８の差口１３に管端キャップ１を装着させる場合には、管端キャップ１の内管５ａを差口１３に被せる。すなわち、管端キャップ１の内管５ａに差口１２を挿入する。
管端キャップ１の内管５ａの内径ｄ３  は、パイプ８の受口１２のリブ１０を含む外径Ｄ１０  に適合するよう略同径となっている。
【００４５】
さらに、管端キャップ１の内管５ａの内周面は、開口側に向かって拡径するテーパー状に形成されている。
したがって、前記差口１３を内管５ａ内に挿入すると、内管５ａの内周面のうち、差口１３のリブ１０を含む外径Ｄ１０  と略同径の部分が、リブ１０の外周に密着し、その位置において内管５ａと差口１３とが嵌合される。
【００４６】
なお、大口径のパイプ９の差口１３に管端キャップ１を装着させる場合も、前記小口径のパイプ８の場合と同様であるが、管端キャップ１の外管６ａにパイプ９の差口を挿入する場合には、パイプ９の差口の先端が、突出部７に当接するまで挿入されることとなる。
【００４７】
前記パイプの受口１２又は差口１３に装着した、管端キャップ１を取り外す場合には、管端キャップ１を管軸Ｘの方向へ引っ張るだけでよい。
【００４８】
さらに、図７に示されるように、管端キャップ１の外周の所要の位置、好ましくは長手方向の略中央近傍には、管端キャップ１の取り外しを容易にするためのリング状の持ち手１９を形成することができる。
この持ち手１９は、指掛りをよくするため、断面が略Ｔ字形状に形成されている。
【００４９】
前記パイプ８，９は、図６に示されるように、差口１３のリブ１０間にゴム輪受容部１７を設け、このゴム輪受容部１７にゴム輪１８を装着してもよい。
この場合には、管端キャップ１の内面と差口１３の外面との隙間が、前記ゴム輪１８によってシールされる。
【００５０】
この実施例においては、リブ付き管に適用する例を挙げたが、受口の内周面（ゴム輪やＯリングなどのシール部材の内周面を含む）が、管端キャップ１の受口用の内管５ｂ又は外管６ｂの外周面と略同径であるか、あるいは差口の外周面（リブの外周面を含む）が管端キャップ１の差口用の内管５ａ又は外管６ａの内周面と略同径であるパイプであれば、いずれのパイプにも装着することができる。
したがって、図４に示されるような、一般的なパイプにも適用することができる。
【００５１】
さらに、図５に示されるような、内周面に環状溝１４などが形成されると共に、この環状溝１４にゴム輪１５などが配されている管にも適用することができる。
前記環状溝１４は、パイプの内周面上の全周に亘って形成されている。この環状溝１４の深さは、前記ゴム輪１５の直径と同程度に設定される。
但し、前記ゴム輪１５は、ベロ部１５ａを有するものであってもよい。
この場合であっても、環状溝１４の深さは、ゴム輪１５の直径と同程度に設定すればよい。
このようなパイプに管端キャップ１を装着した場合には、パイプに配されたゴム輪１５によって、受口１２の内面と管端キャップ１の外面との隙間をシールすることができる。
【００５２】
前記パイプの材質については、特に制限はなく、例えば、硬質塩化ビニルなどが選択される。
【００５３】
なお、この発明の管端キャップ１は、着脱可能な仮止めのキャップとして用いることができるが、接着剤などの固定手段を用いてパイプに固定することもできる。
【産業上の利用可能性】
【００５４】
この発明の管端キャップは、パイプの端部に嵌合させて、その端部を一時的に閉塞することができるので、パイプの受口用と差口用を兼ねることができ、かつ複数の口径のパイプに適用できるので、複数の口径のパイプに幅広く利用されるものである。
【符号の説明】
【００５５】
１          管端キャップ
２          隔壁
３          差口用筒部
４          受口用筒部
５          内管
５ａ        内管（差口用）
５ｂ        内管（受口用）
６          外管
６ａ        外管（差口用）
６ｂ        外管（受口用）
７          突出部
８          パイプ（小口径）
９          パイプ（大口径）
１０          リブ
１１          縮径部
１２          受口
１３          差口
１４          環状溝
１５          ゴム輪
１５ａ        ベロ部
１６          くぼみ
１７          ゴム輪受容部
１８          ゴム輪
１９          持ち手
Ｔ          テーパー面
Ｘ          管軸
【図１】
2015161380.tif 000003
【図２】
2015161380.tif 000004
【図３】
2015161380.tif 000005
【図４】
2015161380.tif 000006
【図５】
2015161380.tif 000007
【図６】
2015161380.tif 000008
【図７】
2015161380.tif 000009